【手続補正書】
【提出日】平成26年3月31日(2014.3.31)
【手続補正１】
【補正対象書類名】明細書
【補正対象項目名】００８０
【補正方法】変更
【補正の内容】
【００８０】
上記の実施形態及び実施例の詳細には、本発明の基礎をなす原理から逸脱することなく多くの変更を加えることができる点は当業者に認識されるであろう。更に、本開示の実施形態に対する様々な改変及び変形が、本開示の趣旨及び範囲から逸脱することなく当業者にとって明らかとなろう。したがって、本出願の範囲は、以下の特許請求の範囲によってのみ定められるべきものである。
本発明はまた、以下の内容を包含する。
（１）
再帰反射性物品であって、
複数のコーナーキューブ要素と、
多層封止フィルムであって、前記複数のコーナーキューブ要素の少なくとも一部に対して少なくともその一部が接着されることによって、前記コーナーキューブ要素と前記多層封止フィルムとの間に空気界面を維持する、多層封止フィルムと、を備え、前記多層封止フィルムが、
少なくとも約５０重量％の量のアルキレンの反応生成物と、約２５重量％未満の量の少なくとも１種類の非酸性コモノマーの反応生成物とを含む熱可塑性ポリマー材料を含む第１の封止フィルム層と、
ポリオレフィン、ポリエステル、ポリメチルメタクリレート、ポリアミド、ポリカーボネート、エチレンメタクリル酸、及びポリウレタンの少なくとも１つを含む第２の封止フィルム層と、を有する、再帰反射性物品。
（２）
少なくとも約５０重量％の量のアルキレンの反応生成物と、約２５重量％未満の量の少なくとも１種類の非酸性コモノマーの反応生成物とを含む熱可塑性ポリマー材料、並びに、
ポリオレフィン、ポリエステル、ポリメチルメタクリレート、ポリアミド、ポリカーボネート、エチレンメタクリル酸、及びポリウレタン、
のうち少なくとも１つを含む第３の封止フィルム層を更に備える、項目１に記載の再帰反射性物品。
（３）
前記第２の封止フィルム層が、ポリプロピレン、高密度ポリエチレン、及びＰＥＴの少なくとも１つを含む、項目１に記載の再帰反射性物品。
（４）
約３．５×１０８Ｐａ未満の弾性率を有するポリマー製の光透過性本体層を更に備える、項目１に記載の再帰反射性物品。
（５）
（１）約０マイクロメートル〜約２５０マイクロメートルの間の厚さを有するランド層と、（２）約１０００マイクロメートル未満の厚さを有する本体層と、から本質的になる群から選択される層を更に備える、項目１に記載の再帰反射性物品。
（６）
前記再帰反射性物品が、約５３ｋｇ／ｍの荷重がかけられた場合に、０．２°の観測角及び−４°の入射角で少なくとも約２５０ｃｄ／ｌｕｘ／ｍ２の再帰反射係数を有する、項目１に記載の再帰反射性物品。
（７）
前記再帰反射性物品が、−４°の入射角及び０．２°の観測角で少なくとも約１５０ｃｄ／ｌｕｘ／ｍ２の再帰反射係数を有する、項目１に記載の再帰反射性物品。
（８）
前記再帰反射性物品は、溶剤蒸気に少なくとも約３０分間曝露された場合のダウンウェブ方向の曲率が約５０ｍｍ未満である、項目１に記載の再帰反射性物品。
（９）
前記曲率が約２０ｍｍ未満である、項目１に記載の再帰反射性物品。
（１０）
前記再帰反射性物品の曲げ剛性が、約４．０×１０−８Ｎ・ｍ２である、項目１に記載の再帰反射性物品。
（１１）
前記多層封止フィルムが、約３．５×１０５ｋＰａよりも大きい弾性率を有する少なくとも１つの層を有する、項目１に記載の再帰反射性物品。
（１２）
前記多層封止フィルムが、約３．５×１０５ｋＰａ〜約５０×１０５ｋＰａの弾性率を有する少なくとも１つの層を有する、項目１に記載の再帰反射性物品。
（１３）
前記コーナーキューブ要素の前記弾性率が、１６×１０８Ｐａよりも大きい、項目１に記載の再帰反射性物品。
（１４）
前記再帰反射性物品は、溶剤蒸気に少なくとも約３０分間曝露された場合の平均曲率が約５０ｍｍ未満である、項目１に記載の再帰反射性物品。
（１５）
前記熱可塑性ポリマー材料が、酸改質物、無水物改質物、一酸化炭素改質物、及びこれらの組み合わせの少なくとも１つである、項目１に記載の再帰反射性物品。
（１６）
前記非酸性コモノマーが、酢酸ビニル、アルキル（メタ）アクリレートモノマー、及びこれらの混合物の少なくとも１つである、項目１に記載の再帰反射性物品。
（１７）
前記第２の封止フィルム層及び前記第３の封止フィルム層の一方が、約５重量％〜約３０重量％の不透明化剤を更に含む、項目２に記載の再帰反射性物品。
（１８）
微細構造化物品であって、
複数の微細構造化要素と、
多層封止フィルムであって、前記微細構造化要素の一部に対して接着されることによって、前記微細構造化要素と前記多層封止フィルムとの間に空気界面を維持する、多層封止フィルムと、を備え、
前記多層封止フィルムの層の少なくとも１つが、少なくとも約３．５×１０５ｋＰａの弾性率を有し、前記微細構造化物品が、約４．０×１０−８Ｎ・ｍ２未満の剛性を有する、微細構造化物品。
（１９）
少なくとも約５０重量％の量のアルキレンの反応生成物と、約２５重量％未満の量の少なくとも１種類の非酸性コモノマーの反応生成物とを含む熱可塑性ポリマー材料を含む第１の封止フィルム層と、
ポリオレフィン、ポリエステル、ポリメチルメタクリレート、ポリアミド、ポリカーボネート、エチレンメタクリル酸、及びポリウレタンの少なくとも１つを含む第２の封止フィルム層と、を更に備える、項目１８に記載の微細構造化物品。
（２０）
少なくとも約５０重量％の量のアルキレンの反応生成物と、約２５重量％未満の量の少なくとも１種類の非酸性コモノマーの反応生成物とを含む熱可塑性ポリマー材料を含む第３の封止フィルム層を更に備える、項目１９に記載の微細構造化物品。
（２１）
前記第２の封止フィルム層が、ポリプロピレン、高密度ポリエチレン、及びＰＥＴの少なくとも１つを含む、項目１９に記載の微細構造化物品。
（２２）
約３．５×１０８Ｐａ未満の弾性率を有するポリマー製の光透過性本体層を更に備える、項目１８に記載の微細構造化物品。
（２３）
（１）約０マイクロメートル〜約２５０マイクロメートルの間の厚さを有するランド層と、（２）約１０００マイクロメートル未満の厚さを有する本体層と、から本質的になる群から選択される層を更に備える、項目１８に記載の微細構造化物品。
（２４）
前記微細構造化物品が、約５３ｋｇ／ｍの荷重がかけられた場合に、０．２°の観測角及び−４°の入射角で少なくとも約２５０ｃｄ／ｌｕｘ／ｍ２の再帰反射係数を有する、項目１８に記載の微細構造化物品。
（２５）
前記微細構造化物品が、−４°の入射角及び０．２°の観測角で少なくとも約１５０カンデラ／ｌｕｘ／ｍ２の再帰反射係数を有する、項目１８に記載の微細構造化物品。
（２６）
前記微細構造化物品は、溶剤蒸気に少なくとも約３０分間曝露された場合のダウンウェブ方向の曲率が約５０ｍｍ未満である、項目１８に記載の微細構造化物品。
（２７）
前記曲率が約２０ｍｍ未満である、項目２６に記載の微細構造化物品。
（２８）
前記微細構造化物品の曲げ剛性が、約１．５×１０−８Ｎ・ｍ２〜約４．０×１０−８Ｎ・ｍ２である、項目１８に記載の微細構造化物品。
（２９）
前記多層封止フィルムの少なくとも１つの層が、約３．５×１０５ｋＰａ〜約５０×１０５ｋＰａの弾性率を有する、項目１８に記載の微細構造化物品。
（３０）
前記多層封止フィルムの少なくとも１つの層が、約５．０×１０５ｋＰａ〜約３８×１０５ｋＰａの弾性率を有する、項目２９に記載の微細構造化物品。
（３１）
前記コーナーキューブ要素の前記弾性率が、１６×１０８Ｐａよりも大きい、項目１８に記載の微細構造化物品。
（３２）
前記再帰反射性物品は、溶剤蒸気に少なくとも約３０分間曝露された場合の平均曲率が約５０ｍｍ未満である、項目１８に記載の微細構造化物品。
（３３）
多層封止フィルムであって、
少なくとも約５０重量％の量のアルキレンの反応生成物と、２５重量％未満の量の少なくとも１種類の非酸性コモノマーの反応生成物とを含む熱可塑性ポリマー材料を含む第１の封止フィルム層と、
ポリオレフィン、ポリエステル、ポリメチルメタクリレート、ポリアミド、ポリカーボネート、エチレンメタクリル酸、及びポリウレタンの少なくとも１つを含む第２の封止フィルム層と、を備え、
前記第１の封止フィルム層及び前記第２の封止フィルム層の少なくとも一方が、約３．５×１０５ｋＰａよりも大きい弾性率を有する、多層封止フィルム。
（３４）
前記多層封止フィルムの少なくとも一部が、複数のコーナーキューブ要素を含む微細構造化表面の少なくとも一部に対して接着され、前記多層封止フィルムが、前記コーナーキューブ要素と前記多層封止フィルムとの間に空気界面を維持する、項目３３に記載の多層封止フィルム。
（３５）
少なくとも約５０重量％の量のアルキレンの反応生成物と、約２５重量％未満の量の少なくとも１種類の非酸性コモノマーの反応生成物とを含む熱可塑性ポリマー材料を含む第３の封止フィルム層を更に備える、項目３３に記載の多層封止フィルム。
（３６）
前記第２の封止フィルム層が、ポリプロピレン、高密度ポリエチレン、及びＰＥＴの少なくとも１つを含む、項目３３に記載の微細構造化物品。
（３７）
第３の封止フィルム層を更に備え、その組成は、前記第１の封止フィルム層又は前記第２の封止フィルム層の一方と本質的に同じである、項目１に記載の再帰反射性物品。
【手続補正２】
【補正対象書類名】特許請求の範囲
【補正対象項目名】全文
【補正方法】変更
【補正の内容】
【特許請求の範囲】
【請求項１】
再帰反射性物品であって、
複数のコーナーキューブ要素と、
多層封止フィルムであって、前記複数のコーナーキューブ要素の少なくとも一部に対して少なくともその一部が接着されることによって、前記コーナーキューブ要素と前記多層封止フィルムとの間に空気界面を維持する、多層封止フィルムと、を備え、前記多層封止フィルムが、
少なくとも約５０重量％の量のアルキレンの反応生成物と、約２５重量％未満の量の少なくとも１種類の非酸性コモノマーの反応生成物とを含む熱可塑性ポリマー材料を含む第１の封止フィルム層と、
ポリオレフィン、ポリエステル、ポリメチルメタクリレート、ポリアミド、ポリカーボネート、エチレンメタクリル酸、及びポリウレタンの少なくとも１つを含む第２の封止フィルム層と、を有する、再帰反射性物品。
【請求項２】
微細構造化物品であって、
複数の微細構造化要素と、
多層封止フィルムであって、前記微細構造化要素の一部に対して接着されることによって、前記微細構造化要素と前記多層封止フィルムとの間に空気界面を維持する、多層封止フィルムと、を備え、
前記多層封止フィルムの層の少なくとも１つが、少なくとも約３．５×１０５ｋＰａの弾性率を有し、前記微細構造化物品が、約４．０×１０−８Ｎ・ｍ２未満の剛性を有する、微細構造化物品。
【請求項３】
多層封止フィルムであって、
少なくとも約５０重量％の量のアルキレンの反応生成物と、２５重量％未満の量の少なくとも１種類の非酸性コモノマーの反応生成物とを含む熱可塑性ポリマー材料を含む第１の封止フィルム層と、
ポリオレフィン、ポリエステル、ポリメチルメタクリレート、ポリアミド、ポリカーボネート、エチレンメタクリル酸、及びポリウレタンの少なくとも１つを含む第２の封止フィルム層と、を備え、
前記第１の封止フィルム層及び前記第２の封止フィルム層の少なくとも一方が、約３．５×１０５ｋＰａよりも大きい弾性率を有する、多層封止フィルム。